(57)【要約】      （修正有）【課題】構造も単純で製造の容易な両面額縁及びその額縁に用いる吊下手段の提供を目的とする。【解決手段】枠体の一方の面に、その周囲に額縁状のフィルムあるいは桟よりなる疑似枠を設けた第１の透明板を配設して第１の額とし、この第１の額２０を形成する前記枠体には、コ字状の枠とこの枠の開放端を塞ぐ桟状の押え２２とで疑似枠を形成すると共に、前記押え２２に第２の透明板の一端を取付けて、前記コ字枠の内周部に着脱可能な状態に形成して第２の額３０とした。この第２の額３０と前記第１の額２０とを接合して、収容物の保管もできる両面額縁とした。更に、前記第１の額２０と第２の額３０との対向辺を複数の組ねじで固着すると共に、この複数の組ねじの両端に紐体を固着して、その中間部の組ねじ部は、この組ねじと前記枠体間に前期紐体を通すことで吊下げ手段１２とした。このような吊下手段１２付きの両面額縁によれば、額縁の両面が使用できる。【選択図】図１
2010125311.tif 000002
【特許請求の範囲】
【請求項１】
収容物の外形に合せた内径を有し、この内径部分を収容物の収納部とした方形の枠体と、この枠体の一方の面に第１の透明板を重ねると共に、この透明板の周囲に額縁状のフィルムあるいは桟よりなる疑似枠を設けた第１の額と、
この第１の額を形成する前記枠体の前記第１の透明板が設けられていない他方の面に、コ字状の板体よりなり疑似枠を形成するコ字枠を設けると共に、このコ字枠の開放端を塞いで疑似枠の一部を形成する押えと、この押えにその一辺を接合した第２の透明板とからなる第２の額と、
この第２の額を形成する第２の透明板付きの前記押えを、前記コ字枠の内周に係止すると共に、この第２の透明板付きの押えを、前記コ字枠に着脱可能な状態に形成した両面額縁。
【請求項２】
収容物の外形に合せた内径を有し、この内径部分を収容物の収納部とした方形の枠体と、
この枠体の対向する二辺の外形側に、それぞれ離間して対向配置した２対の切欠と、
前記枠体の両面に枠体と同じ大きさよりなる１対の透明板を配設して、これらの透明板のそれぞれには、前記枠体に設けた切欠内の中央部に一致させた貫通孔を設けると共に、これらの貫通孔に挿入して前記１対の透明板を組合せする組ねじを用いて、この組ねじが前記枠体に設けた切欠の開放端から視認可能な状態で設けた両面額縁と、
この両面額縁を組合せした前記組ねじのうち、一辺に設けた２個所とその対向辺に設けた１個所の少なくとも３個所を用いると共に、その中央部に位置する組ねじには、その組ねじの下方を通して移動可能な状態に設定し、その両端の組ねじには固着した状態の紐体とからなり、この紐体は前記両面額縁の側壁にそってその全体の長さを弛ませた状態で配設し、弛み部分を引っ張ることにより前記両面額縁の縦長や横長の取付方向を変えるようにしたことを特徴とする吊下手段。
【発明の詳細な説明】
【技術分野】
【０００１】  本発明は、展示用としてその両面が使用できると共に、構造が簡単で収容物の保管や展示物の交換及び額の取付方向が容易に変えられるように改善した両面額縁及びその額縁に用いる吊下手段に関する。
【背景技術】
【０００２】  従来例の両面が使用できる額縁としては、枠状の額縁の一側面に設けた開口部から挿入する方形の裏板と、この裏板の両面に重ねて配設する透明板とからなり、この透明板のそれぞれと裏板間に、写真等の収容物を挟んで展示するものがあった。
額の一側面に設けた開口部には、蓋を着脱可能に設けて、展示物を押えるようにした両面使用の額縁である。（例えば特許文献１参照）
また、両面使用ではないが、額縁内に予備の写真などを収容するポケットを設けたものがある。例えば額の中に掲示用ポケットと保管用のポケットを専用に形成して、掲示用ポケットには写真を挟んだ折畳式写真マットを収容し、保管用ポケットには保管用の写真を収容する２層のポケットを有する額縁がある。（例えば特許文献２参照）。
また、額縁用の吊下手段としては、中間板の両面に表板と背面板とを配設して、表板に色紙や写真などの掛け物を保持するホルダ本体の、背面側の角部３方向に挿通孔を設けて、弛緩状態の掛紐の両端を中間板に設けた空洞部を介して止着し、中間部はスライド可能にした掛け物用ホルダである。（例えば特許文献３参照）
【特許文献１】  特開２００２−１４２９３８号公報（第２頁、図４）
【特許文献２】  特開２００４−３１３６９７号公報（第３頁、図１）
【特許文献３】  実用新案登録第３０５９６１９号（第２頁、図３）
【発明の開示】
【発明が解決しようとする課題】  特許文献１に示す両面使用の額縁は、その断面をコ字形に形成して、段差部を有する桟を枠形に形成した額縁よりなり、その一側面に形成した開口部と、この開口部を覆いその上下にストッパーを有する蓋とからなる。
また、この額縁内の段差部に挿入する２枚の透明板と、この透明板に挟まれた裏板とで、写真などの展示物を収容するが、額縁の構造が複雑である。
更に、裏板、透明板、展示物の大きさを同一にする必要と、写真の交換には全てを取出してから、所定の位置に配設して、揃えてから額縁内に挿入すると共に、着脱の面倒な構造の蓋を操作しなければならないという欠点があった。
特許文献２に示す２層ポケットを有する額縁は、形状の異なる専用の仕切板が必要である。また、展示用品の位置決めや収容に、折畳み式専用マットを必要とする複雑な構成であり、展示品の交換作業も面倒であった。
特許文献３に示す掛け物用ホルダは、片面のみに掛け物を取付けることができるホルダ本体であり、掛紐がホルダ本体の両側に位置するので、両面額縁には採用できない構成である。
また、掛紐は背面板に設けた挿通孔と、中間板に設けた空洞部を通して中間板に止着する取付方であるからホルダ本体の組立前に掛紐の取付けをする必要があって作業が非常に面倒であるばかりでなく、購入後に掛紐が気に入らなくて交換する等ができないし、大変であった。
本発明は、このような欠点を解消するためになされたものであり、取扱いが容易で構造の単純な両面額縁及びその額縁に用いる吊下手段の提供を目的とする。
【発明を解決するための手段】
【０００４】  上記不具合を解決するために、本発明は次のような構成としている。
請求項１に記載した両面額縁は、収容物の外形に合せた内径を有する枠体の一方の面に、その周囲に額縁状のフィルムあるいは桟よりなる疑似枠を設けた第１の透明板を配設して第１の額とした。
第１の透明板が設けられていない側の前記枠体には、コ字状の板体よりなり額縁状に形成したコ字枠を設けると共に、このコ字枠の開放端を塞いで疑似枠の一部を形成する押えに、その一辺を接合した第２の透明板とで第２の額を形成した。
この第２の額を形成する第２の透明板付きの押えを、前記コ字枠の内周に係止すると共に、この第２の透明板付きの押えを、コ字枠に着脱可能な状態に形成して両面額縁とした。
このような両面額縁によれば、枠体の厚み内に展示用の収容物の他に保管用の収容物も収納できるし、第２の額を着脱することにより展示品の交換が容易にできるものである。
請求項２に記載した吊下手段は、収容物の外形に合せた内径を有し、その対向する二辺の外形側に、それぞれ離間して対向配置した切欠を有する枠体の両面に１対の透明板を配設した。
これらの透明板には前記枠体に設けた切欠内の中央部に一致させて貫通孔を設けると共に、この貫通孔を介して１対の透明板を組合せすることで、前記切欠の開放端から組ねじが視認可能な状態の両面額縁とした。
この両面額縁に用いた組ねじのうち、一辺に設けた２個所と対向辺に設けた１個所の少なくとも３個所を用いると共に、その中央部に位置する組ねじは、その組ねじの下方を通して移動可能な状態に設定し、その両端の組ねじには固着した状態の紐体を配設した。この紐体は前記両面額縁の側壁にそってその全体の長さを弛ませた状態で設けると共に、この弛み部分を引っ張ることにより額縁の縦長や横長を選択して、前記両面額縁の取付方向が変えられる両面額縁用の吊下手段とした。
このような吊下手段によれば、額縁の側壁に紐体が存在することで、両面額縁のどちらの面を使用しても、紐体が邪魔にならない作用と、展示物の方向性によって、額縁の取付方向を容易に変えることができる作用を持っている。
【発明の効果】
【０００５】  本発明によれば、疑似枠が額縁になるので、収納部に位置決めの段差を形成することもなく、単純な構成なので製造も簡単で安価に製作することができる。
収容物は展示用だけでなく、保管用も収納できる。しかも、この保管用の収容物は展示用の収容物と重ねて挿入するだけであるから、取扱いも非常に簡単であり、額を吊下げた状態で展示品の入替えも可能である。
更に、本発明の吊下手段は、たるませて配設した紐体を、額縁の長辺又は短辺側に引っ張ることで、額縁の縦横を自由に選択して壁面などに取付できるという効果を得ることができた。
【発明を実施するための最良の形態】
【０００６】  本発明について、図面を参照して説明する。図１は本発明の両面額縁を示す斜視図、図２は図１を分解して示す説明図である。
本発明の両面額縁１０は、図１及び図２で示すように図中の裏面側に位置して、枠状の疑似枠を設けた第１の透明板２１と、写真や絵などの収容物を収納する枠体２８とからなる第１の額２０と、この第１の額を形成する枠体２８上に配設された第２の額３０とからなる。
この第２の額３０の一部である台形型の押え３２と、この押えに固定した第２の透明板３１とは、図中の矢印で示す方向に移動して、着脱可能な状態に形成している。
第１の額２０は図２で示すように、第１の透明板２１の一方の面に、枠形に形成した枠体２８を配設している。この両者の接合は接着剤又は両面接着テープ等を用いて固着すると共に、少なくともその三辺を第１の透明板２１より小さく設定している。
換言すれば枠体の一辺のみ第１の透明板２１と面一にして、他の辺は第１の透明板２１の外形より内側に位置させている。
第２の額３０は前述した通りであるが、その外形は第１の透明板２１と同じであり、前述した第２の透明板３１付きの押え３２とで、第２の額３０を形成して、図２で示すように第１の透明板２１と、第２の額３０とに貫通孔を設けて両者を市販品の組ねじ１１で固着することにより、本発明の両面額縁１０を形成している。
組ねじ１１とは、その内径にねじ溝を有する筒状の座付きねじと、この座付きねじとは一対になった座付きのボルトとを組合せして固着する市販品のねじである。【０００７】  このような第１の額２０について図面を参照して更に詳細に説明する。図３は図２で示した第１の額を分解して示す斜視図、図４は図３で示した第１の額の一部詳細説明図である。
図３で示すように第１の額２０は、第１の透明板２１の周囲に、塗料やフィルム等のようにシート状のものを貼付して、幕体よりなる疑似枠２６を配設している。この疑似枠２６は、透明板の表裏面のどちら側でも良くて、その一方あるいは両方の面に形成して、額縁に見えるように似せたものである。
尚、この第１の透明板の図中の上下辺の近傍に、第２の額３０と接合させるために、組ねじ１１を通す貫通孔２２を１対ずつ設けている。この組ねじ１１には後述するが、本発明の吊下手段１２を取付けるためにも利用されており、図１にはこの吊下手段１２の一部が示されている。
このような第１の透明板２１には枠体２８を接合する。枠体２８は、方形の枠よりなりある程度の板厚を有するものである。
この枠体２８の大きさは、図２で前述したように枠体２８と第１の透明板２１は、図中の左側の一端でその一辺が一致し、他の三辺は第１の透明板２１の外形よりも、枠体２８を小さく設定している。
この理由は前述した吊下手段１２となる紐体が収納される案内溝にもなるものである。この第１の透明板２１と枠体２８も、接着剤や両面接着テープ等で一体化するものであり、枠体２８の中央空間部内に写真や絵などの収容物を収納して位置決めする。
この枠体２８の板厚が厚くなれば、その空間が広くなるので、予備の収容物を展示用と同時に収納することができるものである。
図４を参照して第１の透明板２１に設けた貫通孔２２と枠体２８との関係について説明する。
貫通孔２２は前述したように、第１の額２０と第２の額３０とを組合せすると共に、両面額縁を吊下げる吊下手段１２を取付ける組ねじ１１挿入用の孔である。
吊下手段１２を形成する紐体の取付や配設が容易にできるように、枠体２８には貫通孔２２付近に円弧形の切欠２９を形成して、図示しない組ねじの周囲に空間を設けている。この切欠２９は円弧形に限定するものではないが、吊下手段１２となる紐体の取付ができる形状であれば良い。【０００８】  前述した第２の額３０について、図面を参照して説明する。図５は図２で示した第２の額の一部を移動した状態を示す斜視図、図６は図５で示す疑似枠と第２の透明板の組合せを示す説明図である。
図５で示すように第２の額３０は、第１の額２０を形成する第１の透明板２１と同じ大きさの外形を持つ疑似枠３５と、この疑似枠内に着脱可能に設けた第２の透明板３１とからなる。
この疑似枠３５は帯板を組合せして、額縁に見えるように形成したものであり、この疑似枠３５は、コ字状に形成したコ字枠３６と、このコ字枠の開放端を塞いで、疑似枠３５の一部を形成する押え３２とからなる。
この押え３２には、第２の透明板３１の一端を取付けて一体化すると共に、コ字枠３６から着脱可能な状態で組合せしている。コ字枠３６の内側に示す３方向の点線は、第２の透明板３１を図中の矢印Ａ方向にスライド可能にした案内溝３８を示している。また、コ字枠３６の図中で示す上辺と下辺には、第１の額２０に設けて図４で示した貫通孔２１と一致するように、第２の額３０にも複数の貫通孔３７を設けている。
前述した案内溝３８について、図面を参照して説明する。
図６で示すように、コ字枠３６の内周にそって設けた案内溝３８は、図中の上辺側の溝幅を広くして、下辺側の溝幅を狭く設定している。
その理由としては、図５の図中の矢印Ａで示したように、第２の透明板３１を疑似枠３５内にスライド移動して取付ける構成の他に、第２の透明板３１の上辺を疑似枠３５の上辺側の案内溝３８内へ、図中の矢印Ｂで示すように挿入して取付ける方法がある。
この取付例は、第２の透明板３１を図中の矢印Ｂで示す方向に移動して、疑似枠３５の上辺に挿入すると共に、図中のＣで示す方向に第２の透明板３１を降下させることで、和風建築の押入れ等に用いられる襖や障子の如く取付けられるように形成している。
このような取付によれば、スライドの距離を短くして取付けできる作用を持っている。但し、図６で示したようにコ字枠３６の奥部側の上辺の一部では、溝幅を狭くして位置決め３９とし、第２の透明板３１を完全挿入した際のがた付きを少なくしている。
換言すれば、コ字枠３６の奥部である位置決め３９部の上辺と下辺の溝の間隔Ｅは、第２の透明板３１の幅Ｅと略同じ間隔に設定したものである。すなわち、第２の透明板３１を図中の矢印Ｄで示す方向に完全挿入すると、第２の透明板３１の先端が位置決め３９内で、動かないように位置する。
第２の額３０を形成する第２の透明板３１と押え３２との組合せについて説明する。【０００９】  第２の透明板３１を接合した押え３２と、コ字枠３６との位置決めについて図面を参照して説明する。図７は図５で示す第２の透明板の押え側の位置決めを示す説明図である。
図７で示すようにコ字枠３６の両開放端は、その板厚の略半分が三角形に突出した重なり３４を対向するように形成している。
押え３２は第２の透明板３１が、その裏面側に接合されると共に、コ字枠３６の開放端を塞ぎコ字枠３６と一体になって、疑似枠３５を形成することは前述した通りである。
この桟状の押え３２の両端は、その板厚の略半分の厚さの三角片３３が対向する形で形成され、コ字枠３６の開放端側に設けた三角形の重なり３４と一致して、枠形になり疑似枠３５を形成する。この三角片３３と重なり３４とが一致することで、第２の額３０は押え３２側のがた付きを防止するように作用しており、互いに嵌合する状態に形成している。
このように形成した第２の額３０と前述した第１の額２０とは、図２で示したように枠体２８を中央にして重なると共に、前述したように第１の額２０に設けた貫通孔２２と第２の額３０に設けた貫通孔３７とを用いて、それぞれの図中で示す上側と下側とを組ねじ１１で固着することで、両面額縁１０を形成する。【００１０】  このように形成した両面額縁１０には、図１で示した吊下手段１２を取付ける。吊下手段は壁面などに両面額縁１０を取付けるものであり、吊下手段の取付例について図面を参照して説明する。
図８は両面額縁から第２の額を削除して示す説明図、図９は図８で示す組ねじと吊下手段を形成する紐体の取付説明図である。
吊下手段１２は図２でも示すように、第１の額２０と第２の額３０を組立てる組ねじ１１を用いて、図１で示した紐体を取付けるものであり、両面額縁から第２の額を取り除いた状態で示す図８を参照して説明する。
図８で示すように、第１の額２０を形成する枠体２８の切欠２９内で、第１の透明板２１に取付けられている複数の組ねじ１１を、図中で示す上辺の左端側から、それぞれ隣接する方向にＰ、Ｑ、Ｒ、Ｓとする。
このＰ、Ｑ、Ｒ、Ｓで示す組ねじ１１に対して、両面額縁を壁面などに取付けるための紐体１４の取付け例を、図９を参照して説明する。
図９で示すように紐体１４は、組ねじＰにその一端を固着して、隣接する組ねじＱと切欠２９内に通すと共に、図中で額縁の下辺側に位置する組ねじＲに固着する。また、このＰ、Ｑ、Ｒに取付けた紐体は、弛んだ状態で取付けるものである。
このように取付けた紐体１４を、図中の矢印Ｆで示す方向に引くと、図８で示した横長の額縁に設定できるし、図９で示す紐体１４を矢印Ｇで示す方向に引くと、縦長の額縁に設定することができる。
従って、紐体１４の長さは、額縁をそれぞれの方向で吊下げた場合に、壁面等と都合の良い角度で吊下げられるような長さに、形成するものである。【００１１】  他の例の紐体１４の取付方としては、図９の点線で示すように、紐体１４を組ねじＳに迄延長して、組ねじＳに固着させても良い。
この例では組ねじＲは固着することなく、組ねじＱと同様に組ねじ１１と切欠２９の間に紐体１４を通すものであり、横長に配設する額縁は、図８で示す状態で上下方向を選択して使用できるものである。
この両面額縁１０の吊下手段１２は、第２の額縁３０を形成する押え３２が、吊下状態で上側になるように配慮すると共に、額縁の周囲に位置する紐体１４は、枠体２８を第１及び第２の透明板よりも小さく形成した為に、それぞれの透明板の間に溝が形成されたことになり、額縁周囲に存在する紐体１４は、この溝内に位置して隠れることになるから、正面側から見えることは無いという作用を持っている。
この吊下手段１２の使用例について、図面を参照して説明する。図１０は図９で示す吊下手段の使用例を示す説明図である。
図１０で示すように、図９で示したＰ、Ｑ間の紐体１４を図中の矢印Ｈで示す方向に引くと、横長の額縁用としての吊下手段１２となり、Ｑ、Ｒ間は図中の点線で示すように配設される。
また、図９で示したＱ、Ｒ間の紐体１４を、図１０の１点鎖線で示す図中の矢印Ｉ方向に引くと、縦長の額縁用としての吊下手段１２となる。その場合のＰ、Ｑ間の紐体１４は、１点鎖線で示すように前述した溝内に配設される。
また、図示しないが図９で示したＳ、Ｒ間の紐体１４を図１０で示す矢印Ｈと反対方向へ引くと、Ｓ、Ｒ辺を上辺とした横長の額縁が得られることはいうまでもないことである。
【図面の簡単な説明】
【００１２】
【図１】本発明の両面額縁を示す斜視図である。
【図２】図１を分解して示す説明図である。
【図３】図２で示した第１の額を分解して示す斜視図である。
【図４】図３で示した第１の額の一部詳細説明図である。
【図５】図２で示した第２の額の一部を移動した状態を示す斜視図である。
【図６】図５で示す疑似枠と第２の透明板の組合せを示す説明図である。
【図７】図５で示す第２の透明板の押え側の位置決めを示す説明図である。
【図８】図１で示す両面額縁から第２の額を削除して示す説明図である。
【図９】図８で示した組ねじと吊下手段を形成する紐体の取付説明図である。
【図１０】図９で示す吊下手段の使用例を示す説明図である。
【符号の説明】
【００１３】１０  両面額縁
１１  組ねじ
１２  吊下手段
２０  第１の額
２１  第１の透明板
３０  第２の額
３１  第２の透明板
３２  押え
３５  疑似枠
３６  コ字枠
【図１】
2010125311.tif 000003
【図２】
2010125311.tif 000004
【図３】
2010125311.tif 000005
【図４】
2010125311.tif 000006
【図５】
2010125311.tif 000007
【図６】
2010125311.tif 000008
【図７】
2010125311.tif 000009
【図８】
2010125311.tif 000010
【図９】
2010125311.tif 000011
【図１０】
2010125311.tif 000012